(57)【要約】【課題】縫い目を有せず、身体に心地よくフィットするスキニータイプのショーツを提供する。【解決手段】前身頃前当て部、前身頃両側部より連続して形成された後身頃、及び股下に設けられたクロッチ布よりなる伸縮性布地で形成してなるショーツにおいて、前身頃前当て部と後身頃との結合が、熱可塑性接着フィルムにより融着された伸縮性布地のテープによってなされていることを特徴とするショーツであって、ショーツの股ぐりに沿って、テープ状に切断された伸縮性布地を熱可塑性接着フィルムで融着することができる。【選択図】  図１
0003131864.tif 000002
【実用新案登録請求の範囲】
【請求項１】
前身頃前当て部、前身頃両側部より連続して形成された後身頃、及び股下に設けられたクロッチ布よりなる伸縮性布地で形成してなるショーツにおいて、前身頃前当て部と後身頃との結合が、熱可塑性接着フィルムにより融着された伸縮性布地のテープによってなされていることを特徴とするショーツ。
【請求項２】
ショーツの股ぐりに沿って、テープ状に切断された伸縮性布地を熱可塑性接着フィルムで融着してなる請求項１に記載のショーツ。
【請求項３】
クロッチ布には、表地の伸縮性布地と同型に切断した吸湿性布地を、ショーツ肌側内面に接着してなる請求項１または請求項２に記載のショーツ。
【請求項４】
前身頃前当て部を伸縮性布地で二重に構成してなる請求項１、請求項２または請求項３のいづれかに記載のショーツ。
【考案の詳細な説明】
【技術分野】
【０００１】
本考案は、縫い目をなくし全ての成形を熱接着によって行った、フラットな外観を有するスキニータイプのショーツに関する。
【背景技術】
【０００２】
従来のショーツは、肌着として使用することを目的としているため、吸湿性、着用感が主として考慮されてきた。近年、肌着にも美的要素が求められるようになり、更に、健康志向が高まりウォーキング、エアロビクス等のフィットネス運動の隆盛もあり、肌にフィットするフラットな形状を有するショーツが求められるようになった。
【０００３】
ファンデーション下着として身頃構成部片相互を、縫い目がなくシームレスに接合することについて、身頃構成部片相互の外形に略一致する外形に全部又は一部が裁断された基布布にホットメルト接着剤を積層した接合シートによって、身頃構成部片を相互に接合することが提案されている。（特許文献１）。しかしながら、該接合シートは、身頃構成部片の相互の衝合縁を介して跨がせて重合するものであり、接合部分において、身頃構成部片と基布とは、二重もしくは三重に接着されることになる。更に、下着を構成する伸縮性生地同士をホットメルト性接着剤からなる接着テープの融着で接合し、二枚の生地の接合部や脇繰り、跨刳り等の嵩高性を低下させることが提案されている。〈特許文献２〉しかしながら、このパンティは、レースを接着によって下着縁部に接着するものであって、パンティ自体をフラットに構成するものではない。
【特許文献１】特開２００２−２０１５０５号公報
【特許文献２】実用新案登録第３０５５３７４号公報
【考案の開示】
【考案が解決しようとする課題】
【０００４】
本考案は、上述の欠点を克服し、縫い目を有せず適度な緊締力を有し、身体に心地よくフィットするショーツであり、フィットネス等の運動時には、自由な動きを可能とするショーツを提供することを目的とする。
即ち、本考案のショーツは無縫製であり、着用が極めて簡単であるばかりでなく、窮屈感が無く、縫い代が無いため肌当たりが良く着用感が極めて優れている。
【課題を解決するための手段】
【０００５】
本考案は、前身頃前当て部、前身頃両側部より連続して形成された後身頃、及び股下に設けられたクロッチ布よりなる伸縮性布地で形成してなるショーツにおいて、前身頃前当て部と後身頃との結合が、熱可塑性接着フィルムにより融着された伸縮性布地のテープによってなされていることを特徴とするショーツであって、ショーツの股ぐりに沿って、テープ状に切断された伸縮性布地を熱可塑性接着フィルムで融着することができる。クロッチ布には、表地の伸縮性布地と同型に切断した吸湿性布地を、ショーツ肌側内面に接着する。
【考案の効果】
【０００６】
本考案のショーツは、フラットな外観を有し、縫い目を有せず肌あたりが極めてよく、敏感肌の着用者にも安心して使用可能であり、長時間の激しいスポーツにも動きが阻害されずフィット感に優れている。
【考案を実施するための最良の形態】
【０００７】
本考案のショーツを図面によって説明する。
図１は、本考案のショーツ正面図、図２は図１のショーツを表裏反転して肌側から見た前身頃の内面図、図３はショーツ背面図である。本考案のショーツ本体１は、前身頃前当て部２、前身頃側部３より連続して形成される後身頃４、股下部に設けられたクロッチ部５とより構成されている。ショーツ本体１には伸縮性の布地を使用する。前身頃前当て部２は、通常は一枚の布地で形成するが、必要に応じて伸縮性布地を二枚重ね、二重に構成することもできる。
【０００８】
前身頃前当て部２と前身頃側部３との接合は、接合線６で両構成片を超音波ミシンで突合せて接合テープ７を裏地側の接合線６上に載置し、前身頃前当て部２と前身頃側部３と接合テープ７の間に熱可塑性接着フィルムを挟持させ、アイロン、若しくはプレス機によって該部分を加熱し、熱可塑性接着フィルムによって前身頃前当て部２と前身頃側部３とを融着する。本考案においては、熱可塑性接着フィルムの融着により接合を行うので、接合部分は、折り返し部分はなく、突合された各構成片と接合テープの厚みのみで構成されるので、フラットであり、皮膚に対して違和感を生じない。
【０００９】
ショーツの跨ぐり８も、同様に、跨ぐり８に沿って好ましくは跨ぐり８に沿うように曲線状に裁断された伸縮性の布地テープ９を、跨ぐり８の裏地側に載置し、表地と伸縮性の布地テープ９の間にテープ９と同様巾の熱可塑性接着フィルムテープを挟持させて加熱することにより、該部分を熱可塑性接着フィルムによって融着する。
【００１０】
クロッチ部５は、前身頃前当て部２の表地をそのまま連続して後身頃下端部に接合しても、また、前身頃前当て部２下端から後身頃下端部に別布を接合して構成しても良いが、クロッチ部５裏側には、従来通り吸湿性を有する布地を使用する。クロッチ部の形成は、クロッチ布端を接合箇所に重ねて接着する。ショーツウエスト部１０には、着脱時に特に伸長力がかかるので、この部分には、ゴム糸を使用した薄手伸縮性テープ１１を熱可塑性樹脂により接着することが好ましく、このような素材を使用すれば、着脱後のショーツ形状が保たれ、着用時は緊張力があって、フィット感に優れる。
【００１１】
本考案のショーツに使用する布地は、伸縮性と吸湿性を備えたポリエステル糸、ナイロン糸、ポリウレタン糸の編地等が使用され、熱可塑性接着シートとしては、例えば、ポリウレタンを用いた熱融着フィルムを使用することが出来る。本考案のショーツは、構成部片の接合において、超音波ミシンで構成部片を突き合わせてから加熱して裏側をテープ状の共生地と熱可塑性融着フィルムによって熱融着し、接合と共に該部分を補強しているため、フラットであるので接ぎ合わせ部分での肌当たりが少ない。通常、二重以上になっている部分を別の生地に接着させる時は、接着代を上下に重ねてボンディングするため、生地の重なりが少なくとも三枚以上になり、厚くなるが、本件考案では全体をフラットに極めて薄く仕上げることが出来、スキニータイプのショーツとして極めて使用感に優れたものである。
尚、本件の技術はショーツ以外のガードル、スパッツに応用できることは勿論である。
【産業上の利用可能性】
【００１２】
本考案のショーツは、特殊な素材や面倒な縫製を必要とせず、高周波ミシン、アイロン、プレス機等の加熱融着のみによって製造することが出来るので製造が容易であり、極めてフィット性に優れ、運動に適したショーツである。
【図面の簡単な説明】
【００１３】
【図１】本考案ショーツの正面図
【図２】図１のショーツ内面図
【図３】ショーツ背面図
【符号の説明】
【００１４】
１  ショーツ本体
２  前身頃前当て部
３  前身頃側部
４  後身頃
５  クロッチ部
６  接合線
７  接合テープ
８  股ぐり  
９  布地テープ
１０  ウエスト部
１１  薄手伸縮性テープ 
【図１】
0003131864.tif 000003
【図２】
0003131864.tif 000004
【図３】
0003131864.tif 000005